(57)【特許請求の範囲】
【請求項１】
住人が所有する複数の所有物に関して、これらの点検を含む作業を行う業者から発信される作業日程情報を受信する通信手段と、
前記通信手段により作業日程情報を受信した場合に、その作業日程情報に該当する所有物を特定するとともに、その作業を行う業者に対応する住人を特定する特定手段と、
前記作業日程情報に基づき、前記特定手段により特定された所有物について前記作業の日時と内容とを含む所有物用スケジュール情報を作成するとともに、前記特定手段により特定された住人について対応の日時と内容とを含む住人用スケジュール情報を作成するスケジュール作成手段と、
前記スケジュール作成手段により作成された所有物用スケジュール情報と住人用スケジュール情報とを記憶媒体にそれぞれ記憶するスケジュール更新手段と、
前記住人及び前記所有物について現時点での状況を表す現状情報を取得する取得手段と、
前記取得手段により取得された前記住人についての現状情報を、前記記憶媒体に記憶されている住人用スケジュール情報と照合してその照合結果が整合しているか否かを監視する第１監視手段と、
前記取得手段により取得された前記所有物についての現状情報を、前記記憶媒体に記憶されている所有物用スケジュール情報と照合してその照合結果が整合しているか否かを監視する第２監視手段と、
を備えることを特徴とする住宅用情報管理システム。
【請求項２】
前記通信手段は、前記所有物としての建物、設備類及び自動車に関して、これらの点検を含む作業を行う前記業者としての住宅ディーラ及び自動車ディーラから発信される作業日程情報を受信し、
前記特定手段は、前記通信手段により作業日程情報を受信した場合に、その作業日程情報に該当する所有物が建物、設備類及び自動車のいずれであるかを特定するとともに、その作業を行うディーラに対応する住人を特定する請求項１に記載の住宅用情報管理システム。
【請求項３】
前記作業日程情報に含まれるキーワードとして住人との対応付けがなされるキーワードを定めておき、
前記特定手段は、前記キーワードに基づいて前記業者に対応する住人を特定する請求項１又は２に記載の住宅用情報管理システム。
【請求項４】
前記住人及び前記所有物について各々の現在位置を検出する位置検出手段を備え、
前記取得手段は、前記位置検出手段による検出結果から、前記現状情報として前記住人及び前記所有物の現在位置情報を取得し、
前記第１監視手段及び前記第２監視手段は、前記記憶媒体に記憶されているスケジュール情報と前記取得手段により取得された現在位置情報とを照合する請求項１乃至３のいずれかに記載の住宅用情報管理システム。
【請求項５】
前記住人及び前記所有物にそれぞれ取り付けられ、かつ無線通信機能により個別の識別情報を送信可能な移動体通信デバイスを備え、
前記取得手段は、前記移動体通信デバイスから送信される識別情報及び付随情報に基づいて前記現状情報を取得する請求項１乃至４のいずれかに記載の住宅用情報管理システム。
【請求項６】
前記第１監視手段及び前記第２監視手段によりスケジュール情報と現状情報とを照合した結果、それらに不整合が生じていれば、住宅内制御を前記不整合の内容によって異なるモードに移行させるモード移行手段を備える請求項１乃至５のいずれかに記載の住宅用情報管理システム。
【請求項７】
前記通信手段は、住人が通学する学校からの日程情報、及び住人が通院する病院からの日程情報の少なくともいずれかを受信するものであり、
前記スケジュール作成手段は、前記学校又は前記病院からの日程情報を基に前記住人用スケジュール情報を作成する請求項１乃至６のいずれかに記載の住宅用情報管理システム。
【請求項８】
前記学校及び前記病院のいずれかから受信した日程情報に該当する住人を判定する判定手段を備え、
前記スケジュール作成手段は、前記学校及び前記病院のいずれかから日程情報を受信した時に、前記判定手段により判定された住人に対応するスケジュール情報を選んで当該日程情報を記憶する請求項７に記載の住宅用情報管理システム。
【請求項９】
前記業者に対して情報提供のリクエストを前記通信手段を介して送信するリクエスト送信手段を備え、
前記スケジュール作成手段は、前記リクエスト送信手段によるリクエストに応答して返信された作業日程情報を基に前記スケジュール情報を作成する請求項１乃至８のいずれか１つに記載の住宅用情報管理システム。
【発明の詳細な説明】
【技術分野】
【０００１】
本発明は、住宅用情報管理システムに関するものである。
【背景技術】
【０００２】
この種の先行技術として、住宅内の設備についてメンテナンスの時期を管理する住宅用情報管理システムが開示されている（例えば特許文献１参照）。かかる先行技術では、親機とドアホン子機からなる住宅用情報管理システムにおいて、親機により、住宅内設備の種類を登録するとともに、該登録された設備がメンテナンスの時期になると画像表示手段にメンテナンスが必要な設備の種類とともにメンテナンスを促す報知内容を表示させる構成としている。そして、上記構成により、住宅内の任意の設備についてメンテナンスの時期を報知可能としていた。
【特許文献１】特開２００４−１３５２０３号公報
【発明の開示】
【発明が解決しようとする課題】
【０００３】
しかしながら、上述した従来技術では、管理対象となっている情報は住宅内設備のメンテナンス時期に限られており、住人に対して提供される情報には限りがある。また、住宅内設備についてメンテナンスの時期が報知されるだけでは、実際に予定通りにメンテナンス等が行われるかどうかが不確かであった。したがって、改善の余地が大いにあると考えられる。
【０００４】
本発明は、住宅に関与する人及び物について適正なスケジュール管理を実施することができる住宅用情報管理システムを提供することを主たる目的とするものである。
【課題を解決するための手段】
【０００５】
以下、上記課題を解決するのに有効な手段等につき、必要に応じて作用、効果等を示しつつ説明する。
【０００６】
手段１．住宅に関与する人及び物ごとに日時と内容とを含むスケジュール情報を作成し、該スケジュール情報を記憶媒体に随時記憶するスケジュール更新手段と、
前記人及び物ごとに現時点での状況を表す現状情報を取得する取得手段と、
前記記憶媒体に記憶されているスケジュール情報と前記取得手段により取得された現状情報とを照合するスケジュール照合手段と、
を備えることを特徴とする住宅用情報管理システム。
【０００７】
手段１では、住宅に関与する人及び物ごとに日時と内容を含むスケジュール情報が作成され、該スケジュール情報が記憶媒体に随時記憶される。また、人及び物ごとに現時点での状況を表す現状情報が取得され、スケジュール情報と現状情報とが照合される。上記によれば、本システムで管理対象となる住人等がスケジュール以外の行動をとった場合にそれを把握でき、本人又は他の人に知らせたりすることができる。また、住宅設備や自動車等の物に関しても、スケジュール情報とは異なる態様で使用されたりした場合にそれを把握でき、住人等に知らせたりすることができる。したがって、あらかじめ定めたスケジュールから逸脱した行動等を抑制することができる。その結果、住宅に関与する人及び物について適正なスケジュール管理を実施することができるようになる。
【０００８】
なお、人及び物ごとに現状情報を取得する際、記憶媒体に記憶されているスケジュール情報に関して情報取得を実施することが望ましい。これにより、都度必要となる情報のみを取得できる。また、スケジュール照合の結果をユーザに通知することが望ましい。これにより、スケジュール不整合の行動等を本人又は他の人に適宜知らせることができる。スケジュール照合の結果に応じてスケジュール情報を自動修正することも可能である。
【０００９】
手段２．前記人又は物について現在位置を検出する位置検出手段を備え、
前記取得手段は、前記位置検出手段による検出結果から、前記現状情報として前記人又は物の現在位置情報を取得し、
前記スケジュール照合手段は、前記記憶媒体に記憶されているスケジュール情報と前記取得手段により取得された現在位置情報とを照合する手段１に記載の住宅用情報管理システム。
【００１０】
手段２によれば、人や物の現在位置情報から、人や物について現状の行動等の適否が判断される。例えば、人が特定の場所（学校等）に出かけるスケジュールであるのに、その人が他の場所にいれば、スケジュール不整合が生じていると判断される。これにより、スケジュール不整合の発生を本人や他の人に適宜知らせたりすることができる。
【００１１】
手段３．前記人に携帯され又は前記物に取り付けられ、かつ無線通信機能により個別の識別情報を送信可能な移動体通信デバイスを備え、
前記取得手段は、前記移動体通信デバイスから送信される識別情報及び付随情報に基づいて前記現状情報を取得する手段１又は２に記載の住宅用情報管理システム。
【００１２】
手段３によれば、人や物が移動しても、その人や物のいずれが、どういう状況にあるのかを適宜把握することが可能となる。移動体通信デバイスの送信情報により現在位置情報を取得することも可能である。
【００１３】
手段４．前記スケジュール照合手段によりスケジュール情報と現状情報とを照合した結果、それらに不整合が生じていれば、住宅内制御を前記不整合の内容によって異なるモードに移行させるモード移行手段を備える手段１乃至３のいずれかに記載の住宅用情報管理システム。
【００１４】
手段４によれば、本来のスケジュール情報と現状情報とに不整合が生じている場合に、住宅内制御が前記不整合の内容によって異なるモードに移行される。これにより、本来のスケジュール情報と現状情報とに不整合が生じていることを住人等が気付いていない場合であっても、自動でモード移行が行われ、住宅又は住人にとって適切な処置を行わせることが可能となる。例えば、住宅内のセキュリティ管理を行う構成において、スケジュール情報によれば全住人が外出している筈なのに、住宅内で人の存在が確認された場合（例えば玄関ドア等の解錠操作が行われる場合を含む）、セキュリティレベルを上げたり、玄関ドア等の解錠を一切禁止したりする。
【００１５】
手段５．住宅外の情報発信源から発信される日程情報を受信可能とする通信手段を備え、
前記スケジュール更新手段は、前記通信手段を介して受信した日程情報を基に前記スケジュール情報を作成し記憶する手段１乃至４のいずれか１つに記載の住宅用情報管理システム。
【００１６】
手段５によれば、住宅外の情報発信源から日程情報が発信されると、その日程情報が住宅側で受信されるとともに、同日程情報を基に作成されたスケジュール情報が逐次記憶される。これにより、人や物に関してスケジュール情報を自動更新することができ、人や物に関して種々の予定が多数存在する場合にも、そのスケジュール管理を容易に行うことができる。したがって、住人等にとっての利便性を大いに高めることができる。
【００１７】
手段６．前記情報発信源から受信される日程情報には、住宅の人や物に対してサービス（役務）を提供する業者からの日程情報が含まれ、
前記スケジュール更新手段は、前記業者からの日程情報を基に前記スケジュール情報を作成し記憶する手段５に記載の住宅用情報管理システム。
【００１８】
例えば、住宅設備（什器類を含む）や住人の所有車両は、定期的にメンテナンス（保守点検、交換等）を受けたり、故障等による不具合箇所について修理を受けたりする。また、住人に高齢者が含まれる場合、その高齢者は、定期的に訪問介護サービスを受けることが考えられる。かかる場合において、業者（住宅ディーラ、自動車ディーラ、介護サービス業者等）から発信された日程情報が住宅側で受信され、さらにその日程情報を基にスケジュール情報が作成されることで、各種業者のサービス（役務）についてスケジュール情報を自動更新することができ、そのスケジュール管理を容易に行うことができる。したがって、住人等にとっての利便性を大いに高めることができる。
【００１９】
なお、前記スケジュール更新手段は、業者からの日程情報を基に仮日程を定めるとともに、その後、人等の都合に合わせて本日程を定め、その本日程を前記スケジュール情報として記憶することが望ましい。
【００２０】
手段７．前記情報発信源から受信される日程情報には、住人が通学する学校からの日程情報、及び住人が通院する病院からの日程情報の少なくともいずれかが含まれ、
前記スケジュール更新手段は、前記学校又は前記病院からの日程情報を基に前記スケジュール情報を作成し記憶する手段５又は６に記載の住宅用情報管理システム。
【００２１】
手段７では、本システムで管理対象となる住人等に、学校に通学する学生や病院に通院する通院者が含まれる場合を想定している。かかる場合、学校から校内行事の日時などが発信されたり、病院から通院日時などが発信されたりすると、学校や病院から発信された日程情報が住宅側で受信され、さらにその日程情報を基にスケジュール情報が作成される。これにより、学校や病院に関する用件（用務）についてスケジュール情報を自動更新することができ、そのスケジュール管理を容易に行うことができる。したがって、住人等にとっての利便性を大いに高めることができる。
【００２２】
なお、前記スケジュール更新手段は、学校又は病院からの日程情報を基に仮日程を定めるとともに、その後、人等の都合に合わせて本日程を定め、その本日程を前記スケジュール情報として記憶することが望ましい。
【００２３】
手段８．前記情報発信源からの日程情報に該当する人又は物を判定する判定手段を備え、
前記スケジュール更新手段は、前記情報発信源から日程情報を受信した時に、前記判定手段により判定された人又は物に対応するスケジュール情報を選んで当該日程情報を記憶する手段５乃至７のいずれか１つに記載の住宅用情報管理システム。
【００２４】
手段８によれば、情報発信源からの日程情報に対応する人又物のスケジュール情報にのみ日程情報が記憶される。つまり、日程情報の割り振りが自動で行われる。この場合、情報発信源から随時送信されてくる日程情報を、混乱することなく人や物ごとに適正にスケジュール情報として登録できる。
【００２５】
例えば、人や物ごとにあらかじめキーワード等を定めておき、そのキーワード等を基に日程情報が割り振られてスケジュール情報が各々更新されるとよい。具体的には、受信情報に「○○小学校」が含まれる場合には母親＆子供（通学者）のスケジュール情報が更新され、受信情報に「△×病院」が含まれる場合には祖父（通院者）のスケジュール情報が更新され、受信情報に「○×○（車種名）」が含まれる場合には父親（自動車所有者）のスケジュール情報が更新される。
【００２６】
手段９．前記住宅外の情報発信源に対して情報提供のリクエストを前記通信手段を介して送信するリクエスト送信手段とを備え、
前記スケジュール更新手段は、前記リクエスト送信手段によるリクエストに応答して返信された日程情報を基に前記スケジュール情報を作成し記憶する手段５乃至８のいずれか１つに記載の住宅用情報管理システム。
【００２７】
手段９によれば、住宅外の情報発信源に対して情報提供のリクエスト（要求）が通信手段を介して送信される。そして、そのリクエストに応答して返信された日程情報を基にスケジュール情報が作成され記憶される。この場合、相互の都合を加味してスケジュール情報が作成されるため、予定の食い違いを抑制でき、スケジュール管理の適正化を図ることができる。
【００２８】
例えば、住宅外の情報発信源が、住宅の人や物に対してサービスを提供する業者である場合、リクエスト送信手段は、所定のサービスについてあらかじめ定められたサービス提供時期が近づいた時に、業者に対してサービス提供のリクエスト（要求）を通信手段を介して送信するものであるとよい。
【発明を実施するための最良の形態】
【００２９】
以下、本発明を具体化した一実施形態を図面に基づいて説明する。図１は、本実施形態の住宅情報管理システムの概要を示す図である。
【００３０】
図１において、住宅１０には、ホームサーバ１１と入力装置１２とディスプレイ装置１３と通信装置１４とが設けられており、ホームサーバ１１に対して入力装置１２、ディスプレイ装置１３及び通信装置１４がそれぞれ電気的に接続されている。ホームサーバ１１は、周知のパーソナルコンピュータ等を用いて構成されており、このホームサーバ１１によって各種プログラムの実行や通信装置１４を介しての情報通信等々が管理される。ホームサーバ１１は、各種制御を司る制御部１５と、データベースを構築するサーバメモリ１６とを備えており、そのサーバメモリ１６内に、住宅とこの住宅に居住する住人とに関するスケジュール情報をはじめ、各種の登録情報が格納されている。
【００３１】
入力装置１２は、文字等の入力が可能なキーボード入力部１２ａを備えており、この入力装置１２への入力操作に伴いホームサーバ１１による各種処理が実行される。また、ディスプレイ装置１３は、液晶装置等からなる表示部１３ａを備えている。ディスプレイ装置１３は、例えば住宅１０内のリビングに設置されており、表示部１３ａの表示内容を住人各自が確認できるようになっている。ディスプレイ装置１３は住人の共用スペースに設置されればよく、リビング以外に、玄関ホールなどに設置されていてもよい。複数の設置場所にディスプレイ装置１３がそれぞれ設置されていてもよい。なお、本システムのディスプレイ装置１３として、パーソナルコンピュータに付属して設けられるパソコンディスプレイを用いることも可能である。
【００３２】
通信装置１４は、住宅外の店舗や施設等との間で双方向の通信を可能とする住宅通信手段であり、この通信装置１４に外部ネットワーク１８が接続されることで広域通信網が形成されている。具体的には、外部ネットワーク１８には、住宅ディーラＧ１、自動車ディーラＧ２、学校Ｇ３、病院Ｇ４等に設置されたそれぞれの管理コンピュータ２１，２２，２３，２４が接続されている。住宅ディーラＧ１及び自動車ディーラＧ２は、住人や物に対してサービス（役務）を提供する業者である。また、学校Ｇ３は、住人のいずれかが通学する小学校、中学校、高等学校などであり、病院Ｇ４は、住人のいずれかが通院する病院である。これら住宅ディーラＧ１、自動車ディーラＧ２、学校Ｇ３、病院Ｇ４等が、「住宅外の情報発信源」に相当する。
【００３３】
なお、外部ネットワーク１７は、電話回線、インターネットケーブル、電力線等を用いた有線ネットワーク（有線通信）以外に、電波や光等を利用した無線ネットワーク（無線通信）であってもよい。「住宅外の情報発信源」として、上記以外に、子供が通園する幼稚園・保育園、居住区域内の役場（市役所等）、勤務先の会社、住人の趣味等で所属している趣味団体などを想定することも可能である。
【００３４】
また、住宅１０内には、人の有無を検出する人感センサ３１が１カ所又は複数箇所に設けられるとともに、住宅内のセキュリティ管理を実施するセキュリティ制御装置３２が設けられており、これら人感センサ３１やセキュリティ制御装置３２はホームサーバ１１に対して電気的に接続されている。
【００３５】
さらに、ホームサーバ１１は、住人ごとに携帯される携帯通信デバイス３４や、住人が所有する自動車Ｃの車載制御装置３５との間で無線通信が可能となっている。携帯通信デバイス３４は例えば携帯電話装置である。携帯通信デバイス３４や車載制御装置３５は「移動体通信デバイス」に相当し、無線通信機能により個別の識別情報（ＩＤ）をホームサーバ１１に送信可能となっている。なおその他に、住宅内の各設備に、移動体通信デバイスとしてのＩＤタグ等を取り付けておくことも可能である。
【００３６】
セキュリティ制御装置３２は、住宅内に設けられた防犯、防災用の各種センサ（図示略）の検出信号に基づいて、玄関ドアや窓等の施錠状態、不審者の侵入、ガス漏れ、火災の発生などを逐次監視するものであり、例えば不審者有りと検出された場合には、警告を発するとともに、住人の携帯通信デバイス３４や警備会社等に対して不審者情報を送信したりする。
【００３７】
住人が外出した場合、その外出先の位置は携帯通信デバイス３４により検出され、その検出情報がホームサーバ１１に送信される。また、自動車Ｃの移動先の位置は車載制御装置３５により検出され、その検出情報がホームサーバ１１に送信される。これにより、ホームサーバ１１では、住人や自動車の位置情報が取得できる。本実施形態では、携帯通信デバイス３４や車載制御装置３５が「位置検出手段」に相当する。
【００３８】
次に、ホームサーバ１１の機能について図２の機能ブロック図を用いて説明する。
【００３９】
本実施形態では、ホームサーバ１１における主要な機能としてスケジュール管理機能を想定しており、同管理機能としてより詳しくは、ホームサーバ１１の制御部１５は、
（１）住人、及び物（その住人の所有物）ごとに日時と内容とを含むスケジュール情報を作成し、該スケジュール情報をサーバメモリ１６に随時記憶するスケジュール更新機能と、
（２）サーバメモリ１６に記憶されているスケジュール情報を必要に応じてディスプレイ装置１３に表示するスケジュール表示機能と、
（３）サーバメモリ１６に記憶されているスケジュール情報に関して、住人及び物ごとに現時点での状況を表す現状情報を取得する現状情報取得機能と、
（４）サーバメモリ１６に記憶されているスケジュール情報と、都度取得される現状情報とを照合し、その結果を通知するスケジュール監視機能と、
を具備している。
【００４０】
制御部１５には、入力装置１２及び通信装置１４（図１参照）を介して、スケジュール作成に関して各種の日程情報が入力される。そして、制御部１５は、都度の入力情報に基づいてスケジュール情報を作成し、そのスケジュール情報をサーバメモリ１６に随時記憶する。詳細については後述する。
【００４１】
ここで、サーバメモリ１６には、複数のスケジュール情報が記憶されている。これら複数のスケジュール情報は、「住人」に関するスケジュール情報群Ｍ１と、「物」に関するスケジュール情報群Ｍ２とに大別される。「住人」のスケジュール情報群Ｍ１は、本住宅に同居する各住人の予定を規定したデータ群であり、例えば「父用」、「母用」、「子供１用」、「子供２用」などの各スケジュール情報が用意されている。また、「物」のスケジュール情報群Ｍ２は、住宅や、住宅設備、自動車（自家用車）等に関する予定を規定したデータ群であり、例えば「建物用」、「エレベータ用」、「空調設備用」、「自動車用」などの各スケジュール情報が用意されている。
【００４２】
各々のスケジュール情報には、同一期間について日ごとに用件、時間割りなどが記憶されている。図示の事例では、「２００７年１１月」のスケジュール情報がそれぞれ記憶されている。そして、ディスプレイ装置１３では、各々のスケジュール情報がカレンダ形式で表示される。
【００４３】
次に、ホームサーバ１１の制御部１５における各機能について詳述する。
【００４４】
（１）スケジュール更新機能
住人により入力装置１２の入力操作が行われると、制御部１５は、入力装置１２の入力操作に伴い指定される日程情報を取り込み、その日程情報に基づいてスケジュール情報を作成するとともに同スケジュール情報をサーバメモリ１６に逐次登録する。例えば、外出する用件があれば、その用件の日時を、該当する住人のスケジュール情報として登録する。なおこのとき、今回入力した日程情報の日時が既に登録済みの日程情報の日時と重複した場合には、それを住人に通知する。例えば、日程の重複をエラー情報としてディスプレイ装置１３に表示する。
【００４５】
また、住宅外の情報発信源（住宅ディーラＧ１、自動車ディーラＧ２、学校Ｇ３、病院Ｇ４等）から日程情報が送信されると、制御部１５は、通信装置１４を介してその日程情報を取り込んでスケジュール情報を作成するとともに同スケジュール情報をサーバメモリ１６に逐次登録する。このとき、制御部１５は、都度の日程情報に該当する住人又は物を特定し、該特定した住人又は物に対応するスケジュール情報を選択して当該日程情報を記憶する。例えば、情報発信源と住人又は物とを対応づけた対応付けデータを作成しておき、その対応付けデータに基づいて住人や物を特定する。
【００４６】
住宅外の情報発信源から受信した日程情報を基にスケジュール情報を作成する手順についてより具体的に説明する。
【００４７】
住宅ディーラＧ１からは、建物や設備類の定期点検、不具合箇所の修理、部品交換などについての日程情報が送信されてくる。また、自動車ディーラＧ２からは、各種点検（法定点検を含む）、保険の更新、修理、エンジンオイル交換などについての日程情報が送信されてくる。そして、ホームサーバ１１において、都度受信した日程情報が建物用スケジュール情報、自動車用スケジュール情報などに適宜振り分けられて記憶される。またこのとき、点検等を行う業者を応対する住人（例えば父）が特定され、当該日程情報が、前記特定された住人のスケジュール情報としても記憶される。
【００４８】
なお、ホームサーバ１１では、各ディーラからの日程情報を基に仮日程（予備日を含める複数の候補日）が定められるとともに、その後、人等の都合に合わせて本日程が定められ、その本日程がスケジュール情報として記憶されるとよい。
【００４９】
また、学校Ｇ３からは、学校行事に関する日程情報などが送信され、病院Ｇ４からは、診察予約に関する日程情報などが送信されてくる。そして、ホームサーバ１１において、学校Ｇや病院Ｇ４に対応する住人が特定され、当該日程情報が、前記特定された住人のスケジュール情報として記憶される。このとき、例えば子供の学校行事に関する日程情報であれば、母親と子供の両者についてスケジュール情報が作成され記憶される。
【００５０】
なお、ホームサーバ１１では、学校Ｇ３や病院Ｇ４からの日程情報を基に仮日程（予備日を含める複数の候補日）が定められるとともに、その後、人等の都合に合わせて本日程が定められ、その本日程がスケジュール情報として記憶されるとよい。
【００５１】
住宅ディーラＧ１等の情報発信源からの日程情報は、所定のサービス、行事等についてあらかじめ定められたサービス提供時期、行事期日等が近づいた時に、前記情報発信源から自発的にホームサーバ１１（住宅１０）側に送信されるか、或いはホームサーバ１０側からのリクエスト（要求）に応答するかたちでホームサーバ１０側に送信される。後者について補足すると、ホームサーバ１１側では、所定のサービスについてあらかじめ定められたサービス提供時期が近づいた時に、住宅外の情報発信源（該当業者）に対してサービスリクエスト信号を通信装置１４を介して送信し、そのリクエスト信号に応答して返信された日程情報を基にスケジュール情報を作成し記憶する。
【００５２】
（２）スケジュール表示機能
制御部１５は、サーバメモリ１６に記憶されているスケジュール情報を必要に応じてディスプレイ装置１３に表示する。具体的には、住人からの要求があった場合、その要求に合わせてスケジュール情報を表示する。このとき、住人ごとにパスワード（暗証番号）等を登録しておき、そのパスワードによる認証が行われた場合にのみスケジュール情報を表示する構成であってもよい。また、スケジュール情報として記憶されている用件の日時が近づいてきた時点で、自動でスケジュール情報をディスプレイ装置１３に表示する構成であってもよい。
【００５３】
その他、ホームサーバ１１から携帯通信デバイス３３に対してスケジュール情報を送信し、携帯通信デバイス３３のディスプレイ部にスケジュール情報を表示させる構成であってもよい。
【００５４】
（３）現状情報取得機能
制御部１５は、サーバメモリ１６に記憶されているスケジュール情報に関して、住人及び物ごとに現時点での状況を表す現状情報を取得する。より具体的には、人感センサ３１の検出信号に基づいて、住宅１０内における人の有無を示す現状情報を取得する。また、携帯通信デバイス３４や車載制御装置３５からの通信情報に基づいて、住人や自動車の識別情報や、付随情報としての現在位置情報を取得する。なお、住人及び物ごとに現状情報を取得する際、都度のスケジュール情報についてのみ情報取得を実施すること以外に、住人及び物に関与する全ての情報を取得することも可能である。
【００５５】
（４）スケジュール監視機能
制御部１５は、サーバメモリ１６に記憶されているスケジュール情報と、住人や物の現状情報（住人の在宅情報、現在位置情報などを含む）とを照合し、その結果を通知する。この場合、スケジュール情報と現状情報とを照合した結果、それらに不整合（矛盾）が生じていれば、警告通知を出したり、住宅内制御を不整合の内容によって異なるモード（非通常モード）に移行させたりする。スケジュール監視の具体例を以下に例示する。
【００５６】
（イ）現時点のスケジュールが住人全員での外食又は家族旅行となっている場合において、その外食や家族旅行のスケジュール情報（すなわち、住宅が留守になっているスケジュール情報）と、人感センサ３１の検出信号を基に取得された在宅情報とを照合し、その照合の結果を携帯通信デバイス３４等を通じて住人に通知する。このとき、住宅１０内には誰もいない筈なのに、在宅者有りとなっていれば、不審者有りの可能性があるとして警告通知を行う。又は、セキュリティ制御装置３２の防犯モードを通常モードから警戒モード（非通常モード）に移行させて、玄関ドアや窓等を全て自動で施錠状態としたりする。又は、家族全員が不在であるにもかかわらず、玄関ドアが解錠されようとしている場合には、ドアの解錠を一切禁止したり、ドア解錠に特定のパスワードを要求したりする構成であってもよい。
【００５７】
（ロ）現時点の子供のスケジュールが塾通いとなっている場合において、その塾通いのスケジュール情報と、子供が所持する携帯通信デバイス３４の位置情報から取得された子供の現在位置情報とを照合し、その照合の結果を携帯通信デバイス３４等を通じて住人（この場合特に母親又は父親）に通知する。このとき、子供の現在位置情報が所定以上の速度で変化している場合（例えば自動車の走行速度で移動していると考えられる場合）、スケジュールの不整合が確認でき、母親等に対して警告通知を実行する。
【００５８】
（ハ）現時点の自動車のスケジュールが自動車ディーラでの定期点検中又は故障修理中となっている場合において、その定期点検等のスケジュール情報と、自動車の位置情報とを照合し、その照合の結果を携帯通信デバイス３４等を通じて住人（この場合特に父親）に通知する。このとき、自動車がディーラ以外の場所（自宅やレジャー施設等）にあれば、自動車をディーラに持っていくことを促すべく父親等に対して警告通知を実行する。
【００５９】
次に、制御部１５により実行されるスケジュール更新処理、及びスケジュール監視処理を図３，図４のフローチャートを参照してあらためて説明する。
【００６０】
図３は、スケジュール更新処理の手順を示すフローチャート、図４は、スケジュール監視処理の手順を示すフローチャートであり、これら各処理は制御部１５によって所定の時間周期で実行される。
【００６１】
図３において、ステップＳ１１では、スケジュール情報に関して入力があったか否かを判定する。そして、スケジュール入力有りの場合、後続のステップＳ１２に進む。例えば、入力装置１２によりスケジュール入力の操作が行われた場合、又は住宅外の情報発信源から日程情報を受信した場合、ステップＳ１１がＹＥＳとなる。
【００６２】
ステップＳ１２では、更新対象となるスケジュール情報を特定する。このとき、入力装置１２により指定された住人又は物のスケジュール情報が更新対象とされる。又は、住宅外の情報発信源から日程情報を受信した場合には、その情報発信源に対応付けられている住人又は物のスケジュール情報が更新対象とされる。
【００６３】
その後、ステップＳ１３では、今回更新対象とされるスケジュール情報について書き込み処理を実行する。すなわち、今回入力された日程情報をサーバメモリ１６に書き込むことで、スケジュール情報を更新する。
【００６４】
また、図４において、ステップＳ２１では、サーバメモリ１６に記憶されているスケジュールのうち、今回監視対象とするスケジュール情報を選定する。このとき、現時点で進行中とされる用件に関するスケジュール情報が監視対象とされる。
【００６５】
その後、ステップＳ２２では、今回監視対象とされるスケジュール情報に関して、住人又は物の現状情報を取得する。このとき、上述したように、住宅１０内に設けた人感センサ３１の検出信号や、携帯通信デバイス３４の通信情報、車載制御装置３５の通信情報に基づいて住人又は物の現状情報を取得する。
【００６６】
ステップＳ２３では、今回監視対象とされるスケジュール情報と、ステップＳ２２で取得した現状情報とを照合し、続くステップＳ２４では、照合の結果が整合しているか否かを判定する。そして、整合していればステップＳ２５に進み、スケジュール通りであることを示す正常通知を実行する。また、不整合であればステップＳ２６に進み、スケジュール通りでないことを示す警告通知を実行する。スケジュール通りでない場合には、その他、住宅内制御のモード移行等が適宜行われる。
【００６７】
以上詳述した本実施形態によれば、以下の優れた効果が得られる。
【００６８】
本住宅情報管理システムでは、上記のとおりスケジュール更新機能、現状情報取得機能、及びスケジュール監視機能を備える構成としたため、管理対象となる住人等がスケジュール以外の行動をとった場合にそれをいち早く把握でき、通知により本人又は他の人に知らせたりすることができる。また、物（住宅設備や自動車等）に関しても、スケジュール情報とは異なる態様で使用されたりした場合にそれをいち早く把握でき、通知により住人等に知らせたりすることができる。したがって、あらかじめ定めたスケジュールから逸脱した行動等を抑制することができる。その結果、住人及び物について適正なスケジュール管理を実施することができるようになる。
【００６９】
スケジュール監視機能として、サーバメモリ１６に記憶されているスケジュール情報と、住人又は物の現在位置情報とを照合し、その結果を通知する構成としたため、住人や物について現状の行動等の適否が容易に判断できる。これにより、スケジュール不整合の発生を本人や他の人に適宜知らせることができる。
【００７０】
また、スケジュール情報と現状情報とを照合した結果、それらに不整合が生じていれば、住宅内制御を不整合の内容によって異なるモードに移行させる構成としたため、本来のスケジュール情報と現状情報とに不整合が生じていることを住人等が気付いていない場合であっても、自動でモード移行が行われ、住宅又は住人にとって適切な処置を行わせることが可能となる。
【００７１】
住宅外の情報発信源から発信される日程情報を受信すると、その日程情報を基にスケジュール情報を作成・記憶する構成としたため、住人や物に関してスケジュール情報を自動更新することができる。そのため、住人や物に関して種々の予定が多数存在する場合にも、そのスケジュール管理を容易に行うことができる。したがって、住人等にとっての利便性を大いに高めることができる。
【００７２】
住宅外の情報発信源から日程情報を受信した時に、その日程情報に該当する住人又は物を判定し、その判定した住人又は物に対応するスケジュール情報を選んで情報を更新する構成としたため、日程情報の割り振りを自動で行わせることができる。したがって、住宅外の情報発信源から随時送信されてくる日程情報を、混乱することなく住人や物ごとに適正にスケジュール情報として登録できる。
【００７３】
住宅外の情報発信源に対して情報提供のリクエスト（要求）を送信し、そのリクエストに応答して返信された日程情報を基にスケジュール情報を作成・記憶する構成としたため、住人側と相手側（業者や学校等）との相互の都合を加味してスケジュール情報が作成されることとなる。したがって、予定の食い違いを抑制でき、スケジュール管理の適正化を図ることができる。
【００７４】
［他の実施形態］
本発明は上記実施形態の記載内容に限定されず、例えば次のように実施されてもよい。
【００７５】
・上記実施形態では、スケジュール照合の結果をユーザに通知する構成としたが、その通知に代えて又は加えて、スケジュール照合の結果に応じて、サーバメモリ１６に記憶されているスケジュール情報を自動修正することも可能である。
【００７６】
・上記実施形態では、ホームサーバ１１において、情報発信源と住人又は物とを対応づけた対応付けデータを作成しておき、住宅外の情報発信源から日程情報を受信した際に、前記対応付けデータに基づいて住人や物を特定する構成としたが、これを変更する。例えば、住人や物ごとにあらかじめキーワード等を定めておき、ホームサーバ１１（制御部１５）は、そのキーワード等を基に日程情報を割り振ってスケジュール情報を各々更新する。具体的には、受信情報に「○○小学校」が含まれる場合には母親＆子供（通学者）のスケジュール情報を更新し、受信情報に「△×病院」が含まれる場合には祖父（通院者）のスケジュール情報を更新し、受信情報に「○×○（車種名）」が含まれる場合には父親（自動車所有者）のスケジュール情報を更新する。
【００７７】
・住人に対してサービスを提供する業者として、上述した住宅ディーラや自動車ディーラ以外の業者を想定することも可能である。例えば、訪問介護サービスを行う業者を想定する場合、その介護サービス業者を住宅外の情報発信源とし、定期的な訪問介護サービスの日程情報をホームサーバ１１で受信する。そして、ホームサーバ１１では、介護サービス業者から発信された日程情報に基づいて、高齢者（介護対象者）及び介添人のスケジュール情報を作成する。
【００７８】
・ペットを対象としてスケジュール情報を作成・記憶する構成としてもよい。この場合、ペット業者、動物病院などからの送信される日程情報に基づいて、ペット及び世話人のスケジュール情報を作成する。
【図面の簡単な説明】
【００７９】
【図１】住宅情報管理システムの概要を示す図。
【図２】ホームサーバの機能を説明するためのブロック図。
【図３】スケジュール更新処理の手順を示すフローチャート。
【図４】スケジュール監視処理の手順を示すフローチャート。
【符号の説明】
【００８０】
１０…住宅、１１…ホームサーバ、１２…入力装置、１３…ディスプレイ装置、１４…通信装置（通信手段）、１５…制御部（スケジュール更新手段、取得手段、スケジュール監視手段、判定手段、リクエスト送信手段、モード移行手段）、１６…サーバメモリ（記憶媒体）、１８…外部ネットワーク、３１…人感センサ、３２…セキュリティ制御装置、３４…携帯通信デバイス（位置検出手段、移動体通信デバイス）、３５…車載制御装置（位置検出手段、移動体通信デバイス）、Ｇ１…住宅ディーラ、Ｇ２…自動車ディーラ、Ｇ３…学校、Ｇ４…病院。
【図１】
0005204474.tif 000002
【図２】
0005204474.tif 000003
【図３】
0005204474.tif 000004
【図４】
0005204474.tif 000005